(57)【要約】【課題】従来の振動粘度計は振動をつくる振動発振回路が必要で且つ複雑であった。しかも発振周波数の調整を要し、製作が難しく、高価なものになるなど多くの課題があった。【解決手段】筐体の内部に一方を開放した電磁石を設け、電磁石の開放側に近接してマグネット振動子を長軸の一端に取り付け他端は流体または粉体などの被測定物の貯留槽内に挿入し、この長軸はゴムシールなどで弾性支持して筐体の軸受け部に取り付け、商用交流電源により前記の電磁石を励磁してマグネット振動子を振動させると共に、このマグネット振動子に近接してフィルム状のピエゾ発電素子などの発電素子を取り付け、マグネット振動子の振動振幅の大小、すなわち貯留槽内被測定物の粘度の小大または被測定物の無し有りを前記のピエゾ発電素子などより発する電気信号を増幅して検知するようにしたことを特徴とする振動式粘度計である。【選択図】図１
2006064684.tif 000002
【特許請求の範囲】
【請求項１】
筐体の内部に一方を開放した電磁石を設け、電磁石の開放側に近接してマグネット振動子を長軸の一端に取り付け、他端は流体または粉体などの被測定物の貯留槽内に挿入し、この長軸はゴムシールなどで弾性支持して筐体の軸受け部に取り付け、商用交流電源などの交流電源により前記の電磁石を励磁してマグネット振動子を振動させると共に、このマグネット振動子に近接してフィルム状のピエゾ発電素子などの発電素子を取り付け、マグネット振動子の振動振幅の大小、すなわち貯留槽内の被測定物粘度の小大または被測定物の無し有りを前記のピエゾ発電素子などより発する電気信号を増幅して検知するようにしたことを特徴とする振動式粘度計。
【請求項２】
マグネット振動子を振動させる電磁石の１次巻き線の上に、低電圧を発生させる２次巻き線を巻いて２次電源を設け、または１次巻き線の間に中間端子を設けて２次電源を設け、この２次電源を制御回路の電源として使用することを特徴とする請求項１に記載の振動式粘度計。
【請求項３】
前記のマグネット振動子に近接して設けたピエゾ発電素子などより出力された電気信号は増幅回路により増幅されて、出力指示メーターまたはリレーを動作させることを特徴とする請求項１および請求項２に記載の振動式粘度計。
【発明の詳細な説明】
【技術分野】
【０００１】  本発明は流体や粉体などの被測定物の粘度や被測定物の存在の有無を測定または判別する振動式粘度計に関するものである。
【背景技術】
【０００２】  従来の振動式粘度計は特開２０００−２８３９０７号や特公平０７−００６９０５号に示すように振動子を振動させる手段として振動発振回路を使った振動式粘度計であった。
即ち、従来の振動式粘度計は振動発振回路が必要であった。
【特許文献１】特開２０００−２８３９０７号
【特許文献２】特公平０７−００６９０５号
【特許文献３】特許２９３３８５６号
【特許文献４】特許２８６４５４６号
【発明の開示】
【発明が解決しようとする課題】
【０００３】  特開２０００−２８３９０７号や特公平０７−００６８０５２号に示すように、従来の振動式粘度計は振動発振回路が必要で且つ複雑であった。しかも発振周波数の調整を要し、製作が難しく、高価なものになるなどの多くの課題があった。
【課題を解決するための手段】
【０００４】  この課題を解決するための技術的手段は次の通りである。
即ち、筐体の内部に一方を開放した電磁石を設け、電磁石の開放側に近接してマグネット振動子を長軸の一端に取り付け他端は流体または粉体などの被測定物の貯留槽内に挿入し、この長軸はゴムシールなどで弾性支持して筐体の軸受け部に取り付け、商用交流電源により前記の電磁石を励磁してマグネット振動子を振動させると共に、このマグネット振動子に近接してフィルム状のピエゾ発電素子などの発電素子を取り付け、マグネット振動子の振動振幅の大小、すなわち貯留槽内の被測定物粘度の小大または被測定物の無し有りを前記のピエゾ発電素子より発する電気信号を増幅して検知するようにしたことを特徴とする振動式粘度計である。【０００５】  また、マグネット振動子を振動させる電磁石の１次巻き線の上に、低電圧を発生させる２次巻き線を巻いて２次電源を設け、または、１次巻き線の間に中間端子を設けて２次電源を設け、この２次電源を制御回路の電源として使用することを特徴とする振動式粘度計である。【０００６】  更に、前記のマグネット振動子に近接して設けたピエゾ発電素子などより出力された電気信号は増幅回路により増幅されて出力指示メーターまたはスイッチング回路を介してリレーを動作させることを特徴とする振動式粘度計である。
【発明の効果】
【０００７】  本発明の振動式粘度計では振動子に加振力を与える振動電磁力は商用交流電源や自家発電の周波数（５０Ｈｚまたは６０Ｈｚなど）を用いているので、従来のような振動発振回路は不要であり、制御回路の簡素化とコスト低減が図ることが出来る。【０００８】  また、マグネット振動子を振動させる電磁石の１次巻き線の上に、低電圧を発生させる２次巻き線を巻いて２次電源を設け、または、１次巻き線の間に中間端子を設けて２次電源を設け、この２次電源を制御回路の電源として使用するので、制御回路の簡素化とコスト低減が可能である。【０００９】  更に、ピエゾ発電素子などの振動による発する電気信号は増幅回路により増幅されて、出力指示メーターまたはリレーなどを動作させるので、液体や粉体などを貯留する貯留槽内の被測定物粘性の大小や被測定物の有無が高精度に検知できるなど、従来にない極めて有用な振動式粘度計が提供できる。
【発明を実施するための最良の形態】
【００１０】  振動子を加振させる振動発振回路を必要とせず、また、制御回路の電源は振動子を振動させる電磁石の巻き線から低電圧の２次電源を取り出し、振動子の振動振幅の大小を被測定物の粘度の小大として検知できる粘度計を実現した。
【実施例１】
【００１１】  本発明を実施するための最良の形態を実施例にもとづき図面を参照して説明する。
図１は本発明の振動式粘度計の断面図である。図２は本発明の振動式粘度計のＢ部分詳細断面図である。図３は本発明の回路図である。図４はピエゾ発電素子の取り付け詳細斜視図である。
図１、図２、図３において、  筐体１の内部に一方を開放した電磁石２を設け、電磁石２の開放側３に近接してマグネット振動子４を長軸５の一端に取り付け、他端は流体または粉体などの被測定物Ａの貯留槽内に挿入し、この長軸５はゴムシール６などで弾性支持して筐体の軸受け部７に取り付け、商用交流電源により前記の電磁石２を励磁してマグネット振動子４を振動させると共に、このマグネット振動子４に近接してフィルム状のピエゾ発電素子８を取り付け、マグネット振動子４の振動振幅の大小、すなわち貯留槽内被測定物Ａの粘度の小大、または被測定物の存在の無し有りを前記のピエゾ発電素子８より発する電気信号として検知するようにしたことを特徴とする振動式粘度計である。【００１２】  更に、マグネット振動子４を振動させる電磁石２の１次巻き線の上に、低電圧を発生させる２次巻き線を巻いて２次電源を設け、または、１次巻き線の間に中間端子を設けて２次電源を設け、この２次電源を制御回路９の電源として使用する振動式粘度計である。【００１３】  また、前記のマグネット振動子４に近接して設けたピエゾ発電素子８より出力された電気信号を増幅回路１０経て、出力指示メーターまたはリレー１１を動作させる振動式粘度計である。
尚、図１の１２は長軸５の先端に取り付けた検知感度を高めるための羽根である。【００１４】  図４に示すように、ピエゾ発電素子８はフィルム状の形状で、先端に錘１３がとりつけてあり、他端はマグネット振動子に図４のように取り付けている。従って、錘１３は静止の慣性で静止しようとし、一方、マグネット振動子４は振動しているので、ピエゾ発電素子８は振動の大小に比例した曲げ変形をうけ、発電電圧が大きく高低に変化（交流０〜３０Ｖなど）するように工夫されている。【００１５】  図５に示すように、ピエゾ発電素子８の曲げ変形量δと発電電圧Ｖの間はほぼ比例関係にあり、変形量δが大きいと発電電圧Ｖは高くなる。即ち、被測定物の粘度ｖが低い場合には変形量δは大きくなって発電電圧Ｖは高くなり、粘度ｖが高い場合には変形量δは小さくなって発電電圧Ｖは低くなる。従って、この発電電圧Ｖの高低は被測定物の粘度ｖの小大を表し、指示メーター１１に指示させることができる。
【産業上の利用可能性】
【００１６】  本発明の実施例は商用電源を用いた振動式粘度計について開示しているが、たとえば、周波数が異なる９０Ｈｚや１００Ｈｚなどの自家発電電源に接続することもできる。また、振動子振動の強弱を検知、判定して、食品や薬品の液体粘性や粉体比重の測定にも使用できるなど、広い産業分野に利用可能性が存在する。
実施例では液体や粉体の粘性、粘度を測定する粘度計として関示しているが、測定の精度が良いので、水位や粉体のレベルを検知するいわゆるレベルセンサとしても利用できる。
【図面の簡単な説明】
【００１７】
【図１】本発明の振動式粘度計の断面図である。
【図２】本発明の振動式粘度計のＢ部分詳細断面図である。
【図３】本発明の振動式粘度計の回路図である。
【図４】本発明の振動式粘度計のピエゾ発電素子取り付け詳細斜視図である。
【図５】本発明の振動式粘度計のピエゾ発電素子発電電圧曲線である。
【符号の説明】
【００１８】  １  筐体
２  電磁石
４  マグネット振動子
５  長軸
６  ゴムシール
７  軸受け部
８  ピエゾ発電素子
９  制御回路
１０  増幅回路
１１  指示メーターまたはリレー
１２  羽根
１３  錘
【図１】
2006064684.tif 000003
【図２】
2006064684.tif 000004
【図３】
2006064684.tif 000005
【図４】
2006064684.tif 000006
【図５】
2006064684.tif 000007